(57)【特許請求の範囲】
【請求項１】
眼鏡レンズの一端側と接続され、着用時に着用者の頭部側方に位置するテンプルと、
前記テンプルに内蔵され、一方の瞳に投影される第１の画像の光束を出力する第１表示手段と、
前記テンプルに内蔵され、前記一方の瞳に投影される第２の画像の光束を出力する第２表示手段と、
前記眼鏡レンズの一端側に配置され、前記第１の画像の光束と前記第２の画像の光束とを前記眼鏡レンズの方向に導く光学素子と、
前記光学素子から出力された前記第１の画像の光束を前記一方の瞳に向けて反射させる第１反射手段と、
前記光学素子から出力された前記第２の画像の光束を前記一方の瞳に向けて反射させる第２反射手段と、
を備えることを特徴とする電子眼鏡。
【請求項２】
請求項１に記載の電子眼鏡において、
前記第１反射手段は、前記第２の画像の光束の波長を透過し、
前記第２反射手段は、前記第１反射手段を透過した前記第２の画像の光束を前記一方の瞳に向けて反射させることを特徴とする電子眼鏡。
【請求項３】
請求項１に記載の電子眼鏡において、
前記第１反射手段および前記第２反射手段は、２つの瞳を結ぶ方向と平行な方向に互いに離れて配置されることを特徴とする電子眼鏡。
【請求項４】
請求項１に記載の電子眼鏡において、
前記第１反射手段および前記第２反射手段は、２つの瞳を結ぶ方向と交差する方向に互いに離れて配置されることを特徴とする電子眼鏡。
【発明の詳細な説明】
【０００１】
【発明の属する技術分野】
本発明は、画像を表示する表示装置を有し、その画像を光学像として瞳に投影する電子眼鏡に関する。
【０００２】
【従来の技術】
電子眼鏡は、表示機能を有する眼鏡であり、表示する画像に相当する光学像を、人間の瞳に直接投影するものである。
従来の電子眼鏡には、米国特許第５，８８６，８２２号明細書に記載されるような電子眼鏡１０があった（図１４参照）。図１４に表すように、電子眼鏡１０には、左テンプル１０１と左眼鏡レンズ１０２とが設けられている。
【０００３】
左テンプル１０１は、左目で見る画像を発生するための装置であり、液晶表示素子１０１１と投影レンズ１０２２とテンプルミラー１０３３とが設けられている。液晶表示素子１０１１は、外部から供給される画像を表示する液晶素子である。投影レンズ１０２２は、液晶表示素子１０１１で表示された画像に相当する光学像を投影するレンズである。テンプルミラー１０３３は、投影レンズ１０２２によって投影される光学像を、左眼鏡レンズ１０２に向けて反射するミラーである。
【０００４】
左眼鏡レンズ１０２は、左テンプル１０１が発生する画像に相当する光学像を、左目の瞳に反射する光学部材である。左眼鏡レンズ１０２には、接眼ミラー１０４４が設けられている。
接眼ミラー１０４４は、テンプルミラー１０３３から反射されてくる光学像を、左目の瞳に向けて反射するミラーである。
【０００５】
即ち、従来の電子眼鏡１０では、液晶表示素子１０１１によって画像が表示され、その画像に相当する光学像が、投影レンズ１０２２、テンプルミラー１０３３および接眼ミラー１０４４を介して左目の瞳に投影される。
ただし、従来の電子眼鏡１０が人間の顔にかけられる場合、接眼ミラー１０４４の位置は、その人間の左目の瞳のほぼ正面となる。
【０００６】
従って、液晶表示素子１０１１によって表示される画像は、左目のほぼ正面に常に見えることになる。
【０００７】
【発明が解決しようとする課題】
ところで、人間が１つの物体を見る場合、その物体を顔の正面に見ることが、自然な動作である。しかし、接眼ミラー１０４４は、左目の瞳のほぼ正面にあるので、電子眼鏡１０をかけた者は、物体を見る場合、その物体を顔の正面に見ることができない。
【０００８】
そのため、電子眼鏡１０をかけた者は、物体を見たい場合、常にその物体を斜め方向から見るという不自然な動作を強いられる。
また、従来の電子眼鏡１０では、左目の瞳のほぼ正面に配置される接眼ミラー１０４４を介し、単一の光学像が左目の瞳に投影される。即ち、電子眼鏡１０をかけた者は、１つの画像しか見ることができない。
【０００９】
そのため、電子眼鏡１０は、内容が異なる複数の画像を比較しながら見るなどの用途に用いることができない。
そこで、第１ないし第４の発明は、複数の画像を比較しながら見ることができる電子眼鏡を提供することを目的とする。特に、第３及び第４の発明は、物体を顔のほぼ正面に見ることができる電子眼鏡を提供することを他の目的とする。
【００１１】
【課題を解決するための手段】
第１の発明の電子眼鏡は、眼鏡レンズの一端側と接続され、着用時に着用者の頭部側方に位置するテンプルと、前記テンプルに内蔵され、一方の瞳に投影される第１の画像の光束を出力する第１表示手段と、前記テンプルに内蔵され、前記一方の瞳に投影される第２の画像の光束を出力する第２表示手段と、前記眼鏡レンズの一端側に配置され、前記第１の画像の光束と前記第２の画像の光束とを前記眼鏡レンズの方向に導く光学素子と、前記光学素子から出力された前記第１の画像の光束を前記一方の瞳に向けて反射させる第１反射手段と、前記光学素子から出力された前記第２の画像の光束を前記一方の瞳に向けて反射させる第２反射手段と、を備えることを特徴とする。
【００１２】
第２の発明の電子眼鏡は、前記第１反射手段は、前記第２の画像の光束の波長を透過し、前記第２反射手段は、前記第１反射手段を透過した前記第２の画像の光束を前記一方の瞳に向けて反射させることを特徴とする。
第３の発明の電子眼鏡は、前記第１反射手段および前記第２反射手段は、２つの瞳を結ぶ方向と平行な方向に互いに離れて配置されることを特徴とする。
第４の発明の電子眼鏡は、前記第１反射手段および前記第２反射手段は、２つの瞳を結ぶ方向と交差する方向に互いに離れて配置されることを特徴とする。
【００１３】
【発明の実施の形態】
以下、図面に基づいて本発明の実施形態について詳細を説明する。
＜第１実施形態＞
本発明の第１実施形態の電子眼鏡１は、表示対象の画像（以降これを表示画像と称す）を、右目又は左目の瞳に投影する装置である。
【００１４】
ただし、第１実施形態では、左目の瞳に表示画像に相当する光学像を投影する場合を例に挙げ、図１及び図２を参照しながら、電子眼鏡１を説明する。
尚、本発明は、右目の瞳に画像を投影してもよい。この場合、後述の左テンプル２と同機能の要素を右テンプルに設け、左眼鏡レンズ３と同機能の要素を右眼鏡レンズに設ければよい。
【００１５】
図１は、電子眼鏡１が顔にかけられている場合の、左目及び鼻と電子眼鏡１との断面図である。図２は、電子眼鏡１が顔にかけられている場合の、電子眼鏡１を物体側から見た正面図である。
ただし、実際の電子眼鏡１には、左右のテンプルと、左右の眼鏡レンズと、左右の眼鏡レンズを接続するブリッジと、左右の蝶足と、左右のパットと、左右のフレームとが設けられている。
【００１６】
第１実施形態では、左目の瞳に表示画像に相当する光学像を投影する場合を例に挙げており、右のテンプルと右の眼鏡レンズとブリッジと左右の蝶足と左右のパットとは、従来の電子眼鏡と同機能なので、その説明を省略する。図１及び図２では、右のテンプルと右の眼鏡レンズと右の蝶足と右のパットの記載を省略している。
【００１７】
また、左右のフレームも従来の電子眼鏡と同機能なので、その説明を省略する。図１では、左右のフレームの記載を省略している。
ここで、電子眼鏡１の構成を説明する。
図１に示すように、電子眼鏡１には、左テンプル２と左眼鏡レンズ３とが設けられている。
【００１８】
左テンプル２は、表示画像を発生し、発生した表示画像を左眼鏡レンズ３に出力するための装置である。左テンプル２には、液晶表示素子２１と投影レンズ２２とテンプルミラー２３とが設けられている。尚、左テンプル２の構成は、液晶表示素子２１が表示する表示画像を、左眼鏡レンズ３に向けて出力できれば、どのような構成でもよく、例えば、液晶表示素子２１と投影レンズ２２との間に、ミラーが設けられてもよい。
【００１９】
液晶表示素子２１は、表示画像を表示する装置である。液晶表示素子２１は、図示しない駆動回路が出力する駆動信号を入力する。液晶表示素子２１は、駆動信号が表す表示画像を、Ｒｅｄ、Ｇｒｅｅｎ、Ｂｌｕｅの３色でカラー表示する。尚、液晶表示素子２１は、表示画像をモノクロで表示してもよい。この場合、電子眼鏡１が小型、軽量、安価になる利点がある。
【００２０】
投影レンズ２２は、液晶表示素子２１で表示される表示画像に相当する光学像を投影する光学部材である。投影レンズ２２は、１つのレンズで構成されてもよいし、複数のレンズで構成されてもよい。
テンプルミラー２３は、投影レンズ２２によって投影される光学像を、左眼鏡レンズ３に向けて反射するミラーである。
【００２１】
眼鏡レンズ３は、物体の像を左目の瞳に投影するレンズである。眼鏡レンズ３の材質は、可視光を透過する無色透明なガラスである。尚、眼鏡レンズ３の材質は、可視光を透過すれば、何でもよく、例えば無色透明なプラスチックでもよい。
また、眼鏡レンズ３には、入射面３１と、出射面３２と、側面３３ａ、３３ｂと接眼ミラー３４とが設けられている。
【００２２】
入射面３１は、物体からの光が入射する曲面である。尚、入射面３１は、平面であってもよい。出射面３２は、入射面３１から入射した物体からの光が、出射する曲面である。即ち、入射面３１と出射面３２とで、左目の視力を補正するレンズを構成している。尚、出射面３２は、平面であってもよい。側面３３ａ、３３ｂは、眼鏡レンズ３の端面である。側面３３ａは、左テンプル２に面する端面である。側面３３ｂは、ブリッジに面する端面である。
【００２３】
テンプルミラー２３から反射されてくる光学像は、側面３３ａから入射面３１と出射面３２との間の領域に入射し、その領域の中を接眼ミラー３４まで進む。
第１実施形態では、図１及び図２に示すように、テンプルミラー２３から接眼ミラー３４までの光学像の光路を、光路ＭＭと称す。電子眼鏡１が顔にかけられる場合、光路ＭＭは、右目の瞳と左目の瞳とを結ぶ直線と、ほぼ平行である。
【００２４】
また、第１実施形態では、図１に示すように、左目の瞳が正面を向いている場合（即ち、左目の瞳の向いている方向が顔面の向いている方向と同じ場合）の、左目の瞳の位置を正面位置Ｐ１と称し、その場合の左目の瞳の視線を、視線ＩＬと称する。また、左目の瞳が接眼ミラー３４の方向を向いている場合（即ち、左目の瞳の向いている方向が顔面の向いている方向と異なっている場合）の、左目の瞳の位置を右位置Ｐ２と称す。即ち、右位置Ｐ２は、正面位置Ｐ１より右目に近い位置にあることになる。
【００２５】
接眼ミラー３４は、テンプルミラー２３から反射されてくる光学像を、左目の瞳に向けて反射するミラーである。接眼ミラー３４の材質は、可視光を殆ど反射する材質ならは、何でもよく、例えば、ガラスに銀などを蒸着したものやアルミニウムの薄板でもよい。接眼ミラー３４は、入射面３１と出射面３２との間の領域に埋め込まれている。
【００２６】
第１実施形態では、図１及び図２に示すように、接眼ミラー３４は、左目の瞳の正面よりブリッジに近い位置に設けられる。即ち、接眼ミラー３４は、視線ＩＬとその近傍の領域を遮らない位置で、且つ、右目に近い位置に設けられている。
以上説明したような構成の電子眼鏡１では、液晶表示素子２１によって表示画像が表示されると、その表示画像に相当する光学像は、投影レンズ２２を介してテンプルミラー２３に導かれる。テンプルミラー２３によって反射された光学像は、光路ＭＭを進み、接眼ミラー３４に導かれる。そして、左目の瞳が右位置Ｐ２にある状態では、接眼ミラー３４によって反射された光学像は、左目の瞳に投影される。即ち、電子眼鏡１をかける者は、左目の瞳を正面より右側に向けると、表示画像を見ることができる。
【００２７】
一方、左目の瞳が正面位置Ｐ１にある状態では、左目の瞳には、左眼鏡レンズ３を介して、実在する物体の像が投影される。即ち、電子眼鏡１をかける者は、左目の瞳を正面に向けると、左眼鏡レンズ３を介して、実在する物体を見ることができる。
従って、第１実施形態によれば、電子眼鏡１をかける者は、顔の正面に物体を見ることができるので、自然な姿勢で物体を見ることができる。
【００２８】
尚、第１実施形態では、接眼ミラー３４は、ブリッジに近い位置に設けられているが、左目の視線が顔の向いた方向と同じ方向を向いているときに、視線ＩＬを遮らない位置ならば、どこに設けてもよく、例えば、左テンプル２に近い位置や、左目の瞳の正面よりも上側の位置（または、下側の位置）に設けられてもよい。ただし、接眼ミラー３４を左テンプル２に近い位置に設ける場合、電子眼鏡１をかける者は、左目の瞳を正面より左側に向けて、表示画像を見ることになる。また、接眼ミラー３４を左目の瞳の正面よりも上側の位置（または、下側の位置）に設ける場合、電子眼鏡１をかける者は、左目の瞳を正面より上側（または、下側）に向けて、表示画像を見ることになる。
【００２９】
＜第２実施形態＞
本発明の第２実施形態の電子眼鏡４は、原画像を上下２つの画像に分割し、各々の画像を、左目の瞳に上下２箇所から投影するものである。ただし、第２実施形態では、鉛直上向きを、上方向または上側と称し、鉛直下向きを、下方向または下側と称す。また、上側から瞳に投影される画像を上表示画像と称し、下側から瞳に投影される画像を下表示画像と称す。
【００３０】
以下、図３から図６を参照しながら、電子眼鏡４を説明する。
図３は、電子眼鏡４の機能ブロック図である。
図３に示すように電子眼鏡４には、本体４１とドライバ４２とが設けられている。本体４１は、顔にかけて使用される。ドライバ４２は、本体４１とケーブルで接続され、衣服のポケットなどに収納されて使用される。
【００３１】
尚、ドライバ４２は、本体４１内の左テンプル５に設けられてもよい。
図４は、本体４１を左側から見た側面図である。図５は、本体４１を物体側から見た正面図である。
尚、図４及び図５では、第１実施形態と同様に、右のテンプルと右の眼鏡レンズと左右の蝶足と左右のパットとの記載を省略している。
【００３２】
図６は、原画像の構成を示す図である。
先ず、図３及び図６を参照して、ドライバ４２を説明する。
ドライバ４２は、原画像をあらわす画像信号Ｓ２を、上駆動信号Ｓ１Ｕと下駆動信号Ｓ１Ｌとに変換する回路である。
図３に示すように、ドライバ４２には、表示分割回路４２１と、駆動回路４２２ａ、４２２ｂとが設けられている。
【００３３】
表示分割回路４２１は、画像信号Ｓ２を上画像信号Ｓ３Ｕと下画像信号Ｓ３Ｌとに変換する回路である。
画像信号Ｓ２が表す原画像は、ＮＴＳＣやＰＡＬなどのビデオ信号が表す画像である。上画像信号Ｓ３Ｕは、ビデオ信号が表す垂直方向に関して、原画像の上半分を表す信号である。同様に、下画像信号Ｓ３Ｌは、ビデオ信号が表す垂直方向に関して、原画像の下半分を表す信号である。即ち、上画像信号Ｓ３Ｕが表す上表示画像は、図６に示すように、原画像の上半分の画像を表し、下画像信号Ｓ３Ｌが表す下表示画像は、図６に示すように、原画像の下半分の画像を表す。
【００３４】
このように、上表示画像と下表示画像とは、原画像を上下に分割した画像であるので、上表示画像が表す絵柄と下表示画像が表す絵柄とは、連続している。
例えば、原画像の上から下に向かって、カーソルなどの絵柄が移動する場合、このカーソルは、上表示画像の上から下に向かって移動して上表示画像から消えた後、下表示画像に表れて、下表示画像の上から下に向かって移動する。
【００３５】
駆動回路４２２ａは、上画像信号Ｓ３Ｕを、液晶表示素子５１ａが入力可能な上駆動信号Ｓ１Ｕに変換する回路である。同様に、駆動回路４２２ｂは、下画像信号Ｓ３Ｌを、液晶表示素子５１ｂが入力可能な下駆動信号Ｓ１Ｌに変換する回路である。
上駆動信号Ｓ１Ｕは、ケーブルを通って本体４１内の液晶表示素子５１ａまで送られる。また、下駆動信号Ｓ１Ｌは、ケーブルを通って本体４１内の液晶表示素子５１ｂまで送られる。
【００３６】
次に、図４及び図５を参照して、本体４１の構成を説明する。
図４及び図５に示すように、本体４１には、左テンプル５と左眼鏡レンズ６とが設けられている。
左テンプル５は、上表示画像と下表示画像とを発生するための装置である。図４に示すように、左テンプル５には、液晶表示素子５１ａ、５１ｂと、投影レンズ５２ａ、５２ｂと、テンプルミラー５３とが設けられている。
【００３７】
液晶表示素子５１ａは、上駆動信号Ｓ１Ｕが表す上表示画像を表示する液晶表示素子である。液晶表示素子５１ｂは、下駆動信号Ｓ１Ｌが表す下表示画像を表示する液晶表示素子である。
投影レンズ５２ａは、液晶表示素子５１ａで表示される上表示画像に相当する光学像を投影するレンズである。投影レンズ５２ｂは、液晶表示素子５１ｂで表示される下表示画像に相当する光学像を投影するレンズである。
【００３８】
テンプルミラー５３は、投影レンズ５２ａによって投影される上表示画像に相当する光学像と、投影レンズ５２ｂによって投影される下表示画像に相当する光学像とを、左眼鏡レンズ６に反射するミラーである。テンプルミラー５３は、その上側の領域で上表示画像に相当する光学像を反射し、その下側の領域で下表示画像に相当する光学像を反射する。
【００３９】
第２実施形態では、図４に示すように、上表示画像に相当する光学像が液晶表示素子５１ａからテンプルミラー５３まで進む光路を、光路ＬＭａと称し、下表示画像に相当する光学像が液晶表示素子５１ｂからテンプルミラー５３まで進む光路を、光路ＬＭｂと称する。光路ＬＭａと光路ＬＭｂとは、本体４１が顔にかけられている場合、ほぼ水平となる。
【００４０】
テンプルミラー５３は、上表示画像に相当する光学像と、下表示画像に相当する光学像とを反射するので、短時間で光路ＬＭａと光路ＬＭｂとの調整を、同時に行える。したがって、テンプルミラー５３は、安価であるという利点がある。
左眼鏡レンズ６は、物体の像を左目の瞳に投影するレンズである。左眼鏡レンズ６の材質は、第１実施形態の左眼鏡レンズ３と同じである。
【００４１】
左眼鏡レンズ６には、第１実施形態の左眼鏡レンズ３と同様に、入射面６１と、出射面６２と、側面６３ａ、６３ｂとが設けられている。また、左眼鏡レンズ６には、接眼ミラー６４ａ、６４ｂが設けられている。
入射面６１は、物体からの光が入射する曲面である。尚、入射面６１は、平面であってもよい。出射面６２は、入射面６１から入射した物体からの光が出射する曲面である。即ち、入射面６１と出射面６２とで、左目の視力を補正するレンズを構成している。尚、出射面６２は、平面であってもよい。側面６３ａ、６３ｂは、眼鏡レンズ６の端面である。側面６３ａは、左テンプル５に面する端面である。側面６３ｂは、ブリッジに面する端面である。
【００４２】
テンプルミラー５３から反射されてくる上表示画像に相当する光学像は、側面６３ａから入射面６１と出射面６２との間の領域に入射し、その領域の中を接眼ミラー６４ａまで進む。同様に、テンプルミラー５３から反射されてくる下表示画像に相当する光学像は、側面６３ａから入射面６１と出射面６２との間の領域に入射し、その領域の中を接眼ミラー６４ｂまで進む。
【００４３】
第２実施形態では、図５に示すように、テンプルミラー５３から接眼ミラー６４ａまでの上表示画像に相当する光学像の光路を、光路ＭＭａと称す。また、テンプルミラー５３から接眼ミラー６４ｂまでの下表示画像に相当する光学像の光路を、光路ＭＭｂと称す。光路ＭＭａと光路ＭＭｂとは、本体４１が顔にかけられている場合、左右の瞳を結ぶ直線と、ほぼ平行である。
【００４４】
接眼ミラー６４ａは、テンプルミラー５３から反射されてくる上表示画像に相当する光学像を、左目の瞳に向けて反射するミラーである。接眼ミラー６４ａは、左眼鏡レンズ６の中央より上側に離れる位置に設けられる。ただし、左眼鏡レンズ６の中央は、本体４１が顔にかけられる場合、通常、左目の瞳の正面に位置する。
【００４５】
第２実施形態では、図５に示すように、接眼ミラー６４ａから左目の瞳まで上表示画像に相当する光学像が進む光路を、光路ＭＩａと称す。光路ＭＩａは、本体４１が顔にかけられる場合、左目の瞳に対して斜め上向きとなる。
接眼ミラー６４ｂは、テンプルミラー５３から反射されてくる下表示画像に相当する光学像を、左目の瞳に向けて反射するミラーである。接眼ミラー６４ｂは、左眼鏡レンズ６の中央より下側に離れる位置に設けられる。
【００４６】
第２実施形態では、図５に示すように、接眼ミラー６４ｂから左目の瞳まで下表示画像に相当する光学像が進む光路を、光路ＭＩｂと称す。光路ＭＩｂは、本体４１が顔にかけている場合、左目の瞳に対して斜め下向きとなる。
以上説明したような構成の本体４１では、液晶表示素子５１ａによる上表示画像の表示と、液晶表示素子５１ｂによる下表示画像の表示とが同時に行われる。
【００４７】
そして、上表示画像に相当する光学像は、光路ＬＭａを進み、投影レンズ５２ａを介してテンプルミラー５３に導かれる。テンプルミラー５３によって反射された光学像は、光路ＭＭａを進み、接眼ミラー６４ａに導かれる。接眼ミラー６４ａに反射される光学像は、光路ＭＩａを進み、左目の瞳に投影される。
また、下表示画像に相当する光学像は、光路ＬＭｂを進み、投影レンズ５２ｂを介してテンプルミラー５３に導かれる。テンプルミラー５３によって反射された光学像は、光路ＭＭｂを進み、接眼ミラー６４ｂに導かれる。接眼ミラー６４ｂに反射される光学像は、光路ＭＩｂを進み、左目の瞳に向けて投影される。
【００４８】
従って、本体４１をかけた者は、左目の瞳を正面より斜め上に向けると、上表示画像を見ることができ、左目の瞳を正面より斜め下に向けると、下表示画像を見ることができる。
そのため、第２実施形態によれば、電子眼鏡４の本体４１をかけた者は、左目の瞳を上下に動かすだけで、２つに分割された画像を連続的に見ることができる。
【００４９】
また、原画像の上半分と下半分とに異なる２つの画像が並べられている場合、第２実施形態では、これらの２つの画像を上表示画像及び下表示画像として表示することができる。そのため、電子眼鏡４の本体４１をかけた者は、左目の瞳を上下に動かすだけで、２つの画像を容易に比較することができる。
尚、第２実施形態では、上表示画像と下表示画像とは、単一の原画像を分割して得られる画像であるが、独立した異なる２つの画像を、上表示画像と下表示画像として表示してもよい。この場合、ドライバ４２は、図７に示すように、異なる２つの画像に相当する画像信号Ｓ４、Ｓ５を取得し、画像信号Ｓ４を上駆動信号Ｓ１Ｕに変換する駆動回路４２３ａと、画像信号Ｓ５を下駆動信号Ｓ１Ｌに変換する駆動回路４２３ｂとを設ければよい。ここで、異なる２つの画像は、図６に示す原画像と同じ大きさの画像であってもよいし、上表示画像や下表示画像と同じ大きさの画像であってもよい。
【００５０】
また、第２実施形態では、左目の瞳が正面に向けられると、左目の瞳には、左眼鏡レンズ６を介して、実在する物体の像が投影される。即ち、第２実施形態によれば、電子眼鏡４の本体４１をかける者は、顔の正面に物体を見ることができるので、自然な姿勢で物体を見ることができる。
尚、第２実施形態では、接眼ミラー６４ａと接眼ミラー６４ｂとは、左眼鏡レンズ６の中央に対して、ほぼ点対称な位置に設けられるが、左眼鏡レンズ６の中央に対して上下方向に離れる位置ならば、どこに設けられてもよい。
【００５１】
また、第２実施形態では、表示分割回路４２１によって画像信号Ｓ２を上画像信号Ｓ３Ｕと下画像信号Ｓ３Ｌとに分割し、各々の画像信号を駆動回路４２２ａ、４２２ｂを介して駆動信号に変換して液晶表示素子５１ａ、５１ｂに供給しているが、画像信号Ｓ２を分割せずに駆動信号に変換して単一の液晶表示素子に供給し、その液晶表示素子で表示される画像に相当する光学像を、プリズムなどを用いて光学的に分割してもよい。
【００５２】
＜第３実施形態＞
本発明の第３実施形態の電子眼鏡７は、原画像を左右２つの画像に分割し、各々の画像を、左目の瞳に左右２箇所から投影するものである。
また、第３実施形態では、右側から瞳に投影される画像を右表示画像と称し、左側から瞳に投影される画像を左表示画像と称す。
【００５３】
以下、図８から図１１を参照しながら、電子眼鏡７を説明する。
図８は、電子眼鏡７の機能ブロック図である。
図８に示すように、電子眼鏡７には、第２実施形態の電子眼鏡４と同様に、本体７１とドライバ７２とが設けられている。尚、ドライバ７２は、本体７１内の左テンプル８に設けられてもよい。
【００５４】
図９は、本体７１が顔にかけられている場合の、左目及び鼻と本体７１との断面図である。図１０は、本体７１が顔にかけられている場合の、本体７１を物体側から見た正面図である。
尚、図９及び図１０では、第１実施形態と同様に、右のテンプルと右の眼鏡レンズと右の蝶足と右のパットの記載を省略している。また、図９では、左右のフレームの記載を省略している。
【００５５】
図１１は、原画像の構成を示す図である。
先ず、図８及び図１１を参照して、ドライバ７２を説明する。
ドライバ７２は、原画像をあらわす画像信号Ｓ７を、右駆動信号Ｓ６Ｒと左駆動信号Ｓ６Ｌとに変換する回路である。
【００５６】
図８に示すように、ドライバ７２には、表示分割回路７２１と、駆動回路７２２ｃ、７２２ｄとが設けられている。
表示分割回路７２１は、画像信号Ｓ７を右画像信号Ｓ８Ｒと左画像信号Ｓ８Ｌとに変換する回路である。
右画像信号Ｓ８Ｒは、原画像の右半分を表す信号であり、左画像信号Ｓ８Ｌは、原画像の左半分を表す信号である。即ち、右画像信号Ｓ８Ｒが表す右表示画像は、図１１に示すように、原画像の右半分の画像を表し、左画像信号Ｓ８Ｌが表す左表示画像は、図１１に示すように、原画像の左半分の画像を表す。
【００５７】
駆動回路７２２ｃは、右画像信号Ｓ８Ｒを、液晶表示素子８１ｃが入力可能な右駆動信号Ｓ６Ｒに変換する回路である。同様に、駆動回路７２２ｄは、左画像信号Ｓ８Ｌを、液晶表示素子８１ｄが入力可能な左駆動信号Ｓ６Ｌに変換する回路である。
右駆動信号Ｓ６Ｒは、ケーブルを通って本体７１内の液晶表示素子８１ｃまで送られる。また、左駆動信号Ｓ６Ｌは、ケーブルを通って本体７１内の液晶表示素子８１ｄまで送られる。
【００５８】
次に、図９及び図１０を参照して、本体７１の構成を説明する。
図９及び図１０に示すように、本体７１には、左テンプル８と左眼鏡レンズ９とが設けられている。
左テンプル８は、右表示画像と左表示画像とを発生するための装置である。図９に示すように、左テンプル８には、液晶表示素子８１ｃ、８１ｄと、投影レンズ８２ｃ、８２ｄと、テンプルミラー８３とが設けられている。
【００５９】
液晶表示素子８１ｃは、右駆動信号Ｓ６Ｒが表す右表示画像を表示する液晶表示素子である。液晶表示素子８１ｄは、左駆動信号Ｓ６Ｌが表す左表示画像を表示する液晶表示素子である。
【００６０】
ただし、液晶表示素子８１ｃの表示波長と液晶表示素子８１ｄの表示波長とは、人間の目では同じと判断される程度に異なる。第３実施形態では、これらの表示波長が５ｎｍ〜３０ｎｍ程度ずれているものとする。また、液晶表示素子８１ｃの表示波長は、接眼ミラー９４ｄを透過し、かつ、接眼ミラー９４ｃによって反射される波長であり、液晶表示素子８１ｄの表示波長は、接眼ミラー９４ｄによって反射される波長である。
【００６１】
図１２は、液晶表示素子８１ｃ、８１ｄの表示波長と接眼ミラー９４ｃ、９４ｄの反射率との関係を示す図である。
投影レンズ８２ｃは、液晶表示素子８１ｃで表示される右表示画像に相当する光学像を投影する光学部材である。投影レンズ８２ｄは、液晶表示素子８１ｄで表示される左表示画像に相当する光学像を投影する光学部材である。
【００６２】
テンプルミラー８３は、投影レンズ８２ｃによって投影される右表示画像に相当する光学像と、投影レンズ８２ｄによって投影する左表示画像に相当する光学像とを左眼鏡レンズ９に反射するミラーである。
第３実施形態では、図９に示すように、右表示画像に相当する光学像が液晶表示素子８１ｃからテンプルミラー８３まで進む光路を、光路ＬＭｃと称し、左表示画像に相当する光学像が液晶表示素子８１ｄからテンプルミラー８３まで進む光路を、光路ＬＭｄと称する。
【００６３】
左眼鏡レンズ９は、物体の像を左の瞳に投影するレンズである。左眼鏡レンズ９の材質は、第１実施形態の左眼鏡レンズ３と同じである。
左眼鏡レンズ９には、第１実施形態の左眼鏡レンズ３と同様に、入射面９１と出射面９２と、側面９３ａ、９３ｂとが設けられている。また、左眼鏡レンズ６には、接眼ミラー９４ｃ、９４ｄが設けられている。
【００６４】
テンプルミラー８３から反射されてくる右表示画像に相当する光学像は、側面９３ａから入射面９１と出射面９２との間の領域に入射し、接眼ミラー９４ｄを透過して接眼ミラー９４ｃまで進む。一方、テンプルミラー８３から反射されてくる左表示画像に相当する光学像は、側面９３ａから入射面９１と出射面９２との間の領域に入射し、その領域の中を接眼ミラー９４ｄまで進む。
【００６５】
第３実施形態では、図９及び図１０に示すように、テンプルミラー８３から接眼ミラー９４ｃまでの右表示画像に相当する光学像の光路を、光路ＭＭｃと称す。また、テンプルミラー８３から接眼ミラー９４ｄまでの左表示画像に相当する光学像の光路を、光路ＭＭｄと称す。
接眼ミラー９４ｃは、液晶表示素子８１ｃの表示波長を反射するミラーであり、第１実施例の接眼ミラー３４と同じ構造・材質である。尚、接眼ミラー９４ｃは、液晶表示素子８１ｃの表示波長を反射すれば、ホログラムを構成するミラーであってもよい。接眼ミラー９４ｃは、左眼鏡レンズ９の中央より右側に離れる位置に設けられる。接眼ミラー９４ｃでは、テンプルミラー８３から反射されてくる右表示画像に相当する光学像が左目の瞳に向けて反射される。
【００６６】
第３実施形態では、図９及び図１０に示すように、接眼ミラー９４ｃから左目の瞳まで右表示画像に相当する光学像が進む光路を、光路ＭＩｃと称す。光路ＭＩｃは、本体４１が顔にかけられる場合、左目の瞳の正面に対して斜め右向きとなる。また、第３実施形態では、図９に示すように、左目の瞳が接眼ミラー９４ｃを向いている場合の、左目の瞳の位置を右位置Ｐ２と称す。左目の瞳が正面を向いている場合の左目の瞳の視線を、視線ＩＬと称する。
【００６７】
接眼ミラー９４ｄは、液晶表示素子８１ｄの表示波長を反射し、かつ、液晶表示素子８１ｃの表示波長を透過するホログラムを構成するミラーである。接眼ミラー９４ｄは、左眼鏡レンズ９の中央より左側に離れる位置に設けられる。即ち、接眼ミラー９４ｄでは、テンプルミラー８３から反射されてくる左表示画像に相当する光学像が左目の瞳に向けて反射される。
【００６８】
第３実施形態では、図９及び図１０に示すように、接眼ミラー９４ｄから左目の瞳まで左表示画像に相当する光学像が進む光路を、光路ＭＩｄと称す。光路ＭＩｄは、本体７１が顔にかけている場合、左目の瞳の正面に対して斜め左向きとなる。また、第３実施形態では、図９に示すように、左目の瞳が接眼ミラー９４ｄを向いている場合の、左目の瞳の位置を左位置Ｐ３と称す。
【００６９】
以上説明したような構成の本体７１では、液晶表示素子８１ｃによる右表示画像の表示と、液晶表示素子８１ｄによる左表示画像の表示とが同時に行われる。
そして、右表示画像に相当する光学像は、光路ＬＭｃを進み、投影レンズ８２ｃを介してテンプルミラー８３に導かれる。テンプルミラー８３によって反射された光学像は、接眼ミラー９４ｄを透過して、光路ＭＭｃを進み、接眼ミラー９４ｃに導かれる。即ち、右表示画像に相当する光学像は、接眼ミラー９４ｄによる影が生じることなく、接眼ミラー９４ｃに導かれる。接眼ミラー９４ｃで反射される光学像は、光路ＭＩｃを進み、左目の瞳に投影される。
【００７０】
従って、接眼ミラー９４ｄを非常に薄い左接眼レンズ９内に設置し、結果的に光路ＭＭｃを遮る位置になっても、右表示画像の光線と左表示画像の光線との波長を変えること、及び、接眼ミラー９４ｄの反射波長と透過波長と左表示画像の光線と右表示画像の光線とに応じて決定することで、その影響を受けにくくすることができる。
【００７１】
また、左表示画像に相当する光学像は、光路ＬＭｄを進み、投影レンズ８２ｄを介してテンプルミラー８３に導かれる。テンプルミラー８３によって反射された光学像は、光路ＭＭｄを進み、接眼ミラー９４ｄに導かれる。接眼ミラー９４ｄで反射される光学像は、光路ＭＩｄを進み、左目の瞳に投影される。
従って、本体７１をかけた者は、左目の瞳を正面より右側に向けると（左目の瞳が右位置Ｐ２にある状態）、右表示画像を見ることができ、左目の瞳を正面より左側に向けると（左目の瞳が左位置Ｐ３にある状態）、左表示画像を見ることができる。
【００７２】
そのため、第３実施形態によれば、電子眼鏡７の本体７１をかけた者は、左目の瞳を右左に動かすだけで、２つに分割された画像を連続的に見ることができる。
また、原画像の右半分と左半分とに異なる２つの画像が並べられている場合、第３実施形態では、これらの２つの画像を右表示画像及び左表示画像として表示することができる。そのため、電子眼鏡７の本体７１をかけた者は、左目の瞳を右左に動かすだけで、２つの画像を容易に比較することができる。
【００７３】
尚、第３実施形態では、右表示画像と左表示画像とは、単一の原画像を分割して得られる画像であるが、独立した異なる２つの画像を、右表示画像と左表示画像として表示してもよい。この場合、ドライバ７２は、図１３に示すように、異なる２つの画像に相当する画像信号Ｓ９、Ｓ１０を取得し、画像信号Ｓ９を右駆動信号Ｓ６Ｒに変換する駆動回路７２３ｃと、画像信号Ｓ１０を左駆動信号Ｓ６Ｌに変換する駆動回路７２３ｄとを設ければよい。ここで、異なる２つの画像は、図１１に示す原画像と同じ大きさの画像であってもよいし、右表示画像や左表示画像と同じ大きさの画像であってもよい。
【００７４】
また、第３実施形態では、左目の瞳が正面に向けられると、左目の瞳には、左眼鏡レンズ９を介して、実在する物体の像が投影される。即ち、第３実施形態によれば、電子眼鏡７の本体７１をかける者は、顔の正面に物体を見ることができるので、自然な姿勢で物体を見ることができる。
尚、第３実施形態では、表示分割回路７２１によって画像信号Ｓ７を右画像信号Ｓ８Ｒと左画像信号Ｓ８Ｌとに分割し、各々の画像信号を駆動回路７２２ｃ、７２２ｄを介して駆動信号に変換して液晶表示素子８１ｃ、８１ｄに供給しているが、画像信号Ｓ７を分割せずに駆動信号に変換して単一の液晶表示素子に供給し、その液晶表示素子で表示される画像に相当する光学像を、プリズムなどを用いて光学的に分割してもよい。
【００７５】
また、第３実施形態では、液晶表示素子８１ｃの表示波長と液晶表示素子８１ｄの表示波長とが互いに異なり、接眼ミラー９４ｄは、液晶表示素子８１ｃの表示波長を透過するが、光路ＭＭｃ（右表示画像に相当する光学像の光路）を遮らない位置に接眼ミラー９４ｄを配置できれば、液晶表示素子８１ｃの表示波長と液晶表示素子８１ｄの表示波長とは同一であってもよく、接眼ミラー９４ｄは、液晶表示素子８１ｃの表示波長を透過しなくてもよい。
【００７８】
【発明の効果】
第１の発明の電子眼鏡をかけた者は、複数の画像を比較しながら見ることができる。
【００７９】
第２の発明の電子眼鏡では、反射手段の電子眼鏡中での配置を容易にすることができる。
【００８０】
第３の発明や第４の発明の電子眼鏡をかけた者は、複数の画像を比較し易い位置で見ることができると共に、物体を顔のほぼ正面に見ることができる。
【図面の簡単な説明】
【図１】左目及び鼻と電子眼鏡１との断面図である。
【図２】電子眼鏡１を物体側から見た正面図である。
【図３】電子眼鏡４の機能ブロック図である。
【図４】本体４１を左側から見た側面図である。
【図５】本体４１を物体側から見た正面図である。
【図６】原画像の構成を示す図である。
【図７】電子眼鏡４の機能ブロック図である。
【図８】電子眼鏡７の機能ブロック図である。
【図９】左目及び鼻と本体７１との断面図である。
【図１０】本体７１を物体側から見た正面図である。
【図１１】原画像の構成を示す図である。
【図１２】液晶表示素子の表示波長と接眼ミラーの反射率との関係を示す図である。
【図１３】電子眼鏡７の機能ブロック図である。
【図１４】従来の電子眼鏡を説明するための図である。
【符号の説明】
１、４、７、１０  電子眼鏡
２、５、８、１０１  左テンプル
３、６、９、１０２  左眼鏡レンズ
２１、５１ａ、５１ｂ、８１ｃ、８１ｄ、１０１１  液晶表示素子
２２、５２ａ、５２ｂ、８２ｃ、８２ｄ、１０２２  投影レンズ
２３、５３、８３、１０３３  テンプルミラー
３１、６１、９１  入射面
３２、６２、９２  出射面
３３ａ、３３ｂ、６３ａ、６３ｂ、９３ａ、９３ｂ  側面
３４、６４ａ、６４ｂ、９４ｃ、９４ｄ、１０４４  接眼ミラー
４１、７１  本体
４２、７２  ドライバ
４２１、７２１  表示分割回路
４２２ａ、４２２ｂ、４２３ａ、４２３ｂ、７２２ｃ、７２２ｄ、７２３ｃ、７２３ｄ  駆動回路
Ｓ１Ｕ  上駆動信号
Ｓ１Ｌ  下駆動信号
Ｓ２、Ｓ４、Ｓ５、Ｓ７、Ｓ９、Ｓ１０  画像信号
Ｓ３Ｕ  上画像信号
Ｓ３Ｌ  下画像信号
Ｓ６Ｒ  右駆動信号
Ｓ６Ｌ  左駆動信号
Ｓ８Ｒ  右画像信号
Ｓ８Ｌ  左画像信号
【図１】
0004876326.tif 000002
【図２】
0004876326.tif 000003
【図３】
0004876326.tif 000004
【図４】
0004876326.tif 000005
【図５】
0004876326.tif 000006
【図６】
0004876326.tif 000007
【図７】
0004876326.tif 000008
【図８】
0004876326.tif 000009
【図９】
0004876326.tif 000010
【図１０】
0004876326.tif 000011
【図１１】
0004876326.tif 000012
【図１２】
0004876326.tif 000013
【図１３】
0004876326.tif 000014
【図１４】
0004876326.tif 000015